(57)【要約】【課題】低消費電力化を図ることのできる液晶表示装置及び液晶表示装置の駆動方法を提供する。又は、本発明の実施形態は、表示品位に優れた液晶表示装置及び液晶表示装置の駆動方法を提供する。【解決手段】液晶表示装置は、走査線と、信号線と、画素電極を有した画素と、薄膜トランジスタと、駆動部と、を備える。駆動部は、画素電極に第１画像信号Ｖｓｉｇ１Ｈを書込んだ後、画素電極に第２画像信号Ｖｓｉｇ２Ｌを書込んだ状態を保持する際、第１書込みと、第１休止と、第２書込みと、第２休止と、を行う。駆動部は、第１書込みの際、画素電極に第２画像信号Ｖｓｉｇ２Ｌ，Ｖｓｉｇ２Ｈを３フレーム分以上連続して書込む。駆動部は、第１休止の際、走査線及び信号線の駆動を休止する。駆動部は、第２書込みの際、画素電極に第２画像信号Ｖｓｉｇ２Ｌを１フレーム分書込む。駆動部は、第２書込みの後、走査線及び信号線の駆動を休止する。【選択図】図７
2016066028.tif 000002
【特許請求の範囲】
【請求項１】
走査線と、信号線と、画素電極を有した画素と、前記走査線、信号線及び画素電極に電気的に接続され前記画素を形成する薄膜トランジスタと、前記走査線及び信号線に電気的に接続され前記走査線及び信号線を駆動し前記画素電極に画像信号を書込む駆動部と、を備え、
前記駆動部は、前記画素電極に第１画像信号を書込んだ後、前記画素電極に前記第１画像信号とは異なる第２画像信号を書込んだ状態を保持する際、
前記画素電極に前記第２画像信号を３フレーム分以上連続して書込む第１書込みと、
前記第１書込みの後、前記第１書込みの期間より長い期間に前記走査線及び信号線の駆動を休止する第１休止と、
前記第１休止の後、前記画素電極に前記第２画像信号を１フレーム分書込む第２書込みと、
前記第２書込みの後、前記第２書込みの期間より長い期間に前記走査線及び信号線の駆動を休止する第２休止と、
を行うように構成されている液晶表示装置。
【請求項２】
前記駆動部は、前記第２休止の後、前記第２書込みと前記第２休止とを交互に繰り返し、前記第２画像信号を書込んだ状態を保持するように構成されている請求項１に記載の液晶表示装置。
【請求項３】
前記駆動部は、前記第１書込みの際、前記画素電極に前記第２画像信号を３フレーム分連続して書込む請求項１に記載の液晶表示装置。
【請求項４】
前記駆動部は、
前記画素電極に前記第２画像信号を６０Ｈｚのフレームレートで書込み、
前記第１書込みを３フレーム期間行い、
前記第１休止を５７フレーム期間行い、
前記第２書込みを１フレーム期間行い、
前記第２休止を５９フレーム期間行う、
ように構成されている請求項３に記載の液晶表示装置。
【請求項５】
前記画素を形成する対向電極をさらに備え、
前記第１書込みの際、奇数フレーム目に前記画素電極に書込まれる前記第２画像信号の電位と偶数フレーム目に前記画素電極に書込まれる前記第２画像信号の電位とのうち、一方の電位が前記対向電極の電位と同一又はそれより高く、他方の電位が前記対向電極の電位と同一又はそれより低く、前記画素電極の電位と前記対向電極の電位との差の絶対値は前記第１書込み及び第２書込みの間において同一である請求項１に記載の液晶表示装置。
【請求項６】
前記第１書込みの際の最終フレーム目に前記画素電極に書込まれる前記第２画像信号の電位と、前記第２書込みの際に前記画素電極に書込まれる前記第２画像信号の電位と、は同一である請求項５に記載の液晶表示装置。
【請求項７】
前記駆動部は、前記第１書込みの際、前記画素電極に前記第２画像信号を３以上の奇数フレーム分連続して書込む請求項５又は６に記載の液晶表示装置。
【請求項８】
前記画素電極に電気的に接続された補助容量素子をさらに備えている請求項１に記載の液晶表示装置。
【請求項９】
前記画素は、光反射型の画素である請求項１乃至８の何れか１項に記載の液晶表示装置。
【請求項１０】
前記画素電極は、光反射型の電極である請求項９に記載の液晶表示装置。
【請求項１１】
ツイステッドネマティック方式を採用している請求項１乃至１０の何れか１項に記載の液晶表示装置。
【請求項１２】
走査線と、信号線と、画素電極を有した画素と、前記走査線、信号線及び画素電極に電気的に接続され前記画素を形成する薄膜トランジスタと、を備えた液晶表示装置の駆動方法において、
前記走査線及び信号線を駆動し前記画素電極に画像信号を書込み、
前記画素電極に第１画像信号を書込んだ後、前記画素電極に前記第１画像信号とは異なる第２画像信号を書込んだ状態を保持する際、
第１書込みにて、前記画素電極に前記第２画像信号を３フレーム分以上連続して書込み、
前記第１書込みの後の第１休止にて、前記第１書込みの期間より長い期間に前記走査線及び信号線の駆動を休止し、
前記第１休止の後の第２書込みにて、前記画素電極に前記第２画像信号を１フレーム分書込み、
前記第２書込みの後の第２休止にて、前記第２書込みの期間より長い期間に前記走査線及び信号線の駆動を休止する、
液晶表示装置の駆動方法。
【発明の詳細な説明】
【技術分野】
【０００１】
本発明の実施形態は、液晶表示装置及び液晶表示装置の駆動方法に関する。
【背景技術】
【０００２】
一般に、液晶表示装置は、アレイ基板と、対向基板と、これら両基板間に挟持された液晶層と、アレイ基板及び対向基板のいずれか一方に形成されたカラーフィルタと、を有している。アレイ基板及び対向基板間の隙間は、スペーサにより一定に保持されている。液晶表示装置の表示方式としては、ＴＮ（Twisted Nematic）方式等の各種の方式が用いられている。
【０００３】
アレイ基板及び対向基板は、それぞれ液晶層に接した配向膜を有している。両配向膜にはラビングが施されている。これにより、両配向膜は、液晶分子を初期配向させることができる。
【先行技術文献】
【特許文献】
【０００４】
【特許文献１】国際公開第２０１３／０３５５９４号パンフレット
【発明の概要】
【発明が解決しようとする課題】
【０００５】
本発明の実施形態は、低消費電力化を図ることのできる液晶表示装置及び液晶表示装置の駆動方法を提供する。又は、本発明の実施形態は、表示品位に優れた液晶表示装置及び液晶表示装置の駆動方法を提供する。
【課題を解決するための手段】
【０００６】
一実施形態に係る液晶表示装置は、
走査線と、信号線と、画素電極を有した画素と、前記走査線、信号線及び画素電極に電気的に接続され前記画素を形成する薄膜トランジスタと、前記走査線及び信号線に電気的に接続され前記走査線及び信号線を駆動し前記画素電極に画像信号を書込む駆動部と、を備え、
前記駆動部は、前記画素電極に第１画像信号を書込んだ後、前記画素電極に前記第１画像信号とは異なる第２画像信号を書込んだ状態を保持する際、
前記画素電極に前記第２画像信号を３フレーム分以上連続して書込む第１書込みと、
前記第１書込みの後、前記第１書込みの期間より長い期間に前記走査線及び信号線の駆動を休止する第１休止と、
前記第１休止の後、前記画素電極に前記第２画像信号を１フレーム分書込む第２書込みと、
前記第２書込みの後、前記第２書込みの期間より長い期間に前記走査線及び信号線の駆動を休止する第２休止と、
を行うように構成されている。
【０００７】
また、一実施形態に係る液晶表示装置の駆動方法は、
走査線と、信号線と、画素電極を有した画素と、前記走査線、信号線及び画素電極に電気的に接続され前記画素を形成する薄膜トランジスタと、を備えた液晶表示装置の駆動方法において、
前記走査線及び信号線を駆動し前記画素電極に画像信号を書込み、
前記画素電極に第１画像信号を書込んだ後、前記画素電極に前記第１画像信号とは異なる第２画像信号を書込んだ状態を保持する際、
第１書込みにて、前記画素電極に前記第２画像信号を３フレーム分以上連続して書込み、
前記第１書込みの後の第１休止にて、前記第１書込みの期間より長い期間に前記走査線及び信号線の駆動を休止し、
前記第１休止の後の第２書込みにて、前記画素電極に前記第２画像信号を１フレーム分書込み、
前記第２書込みの後の第２休止にて、前記第２書込みの期間より長い期間に前記走査線及び信号線の駆動を休止する。
【図面の簡単な説明】
【０００８】
【図１】図１は、一実施形態に係る液晶表示装置を示す概略構成図である。
【図２】図２は、図１に示した液晶表示パネルの周縁部を示す概略断面図である。
【図３】図３は、図１及び図２に示したアレイ基板の概略構成を示す平面図である。
【図４】図４は、図３に示した単位画素を概略的に示す回路図である。
【図５】図５は、上記単位画素を示す等価回路である。
【図６】図６は、上記液晶表示パネルの一部を示す断面図であり、４個の画素を示す図である。
【図７】図７は、上記液晶表示装置によって第１画像表示及び第２画像表示を行う際の、（１）第１信号線を駆動する画像信号、（２）第２信号線を駆動する画像信号、（３）走査線を駆動する制御信号、（４）第１リード線を駆動する第１対向電圧、（５）第２リード線を駆動する第２対向電圧、を示すタイミングチャートである。
【図８】図８は、上記実施形態に係る液晶表示装置の変形例のアレイ基板の表示領域の外側を拡大して示す平面図であり、切替え回路を示す図である。
【図９】図９は、図７に示した上記液晶表示装置の駆動方法の変形例を示す図であり、上記液晶表示装置によって第１画像表示及び第２画像表示を行う際の、（１）第１信号線を駆動する画像信号、（２）第２信号線を駆動する画像信号、（３）走査線を駆動する制御信号、（４）第１リード線を駆動する第１対向電圧、（５）第２リード線を駆動する第２対向電圧、の変形例を示すタイミングチャートである。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
以下、図面を参照しながら一実施形態に係る液晶表示装置及び液晶表示装置の駆動方法について詳細に説明する。まず、液晶表示装置の構成について説明する。  
図１及び図２に示すように、液晶表示装置は、液晶表示パネル１０を備えている。本実施形態において、液晶表示パネル１０は、ＴＮ（Twisted Nematic）方式を採用している。液晶表示パネル１０は、アレイ基板１と、アレイ基板に所定の隙間を置いて対向配置された対向基板２と、これら両基板間に挟持された液晶層３とを備えている。その他、液晶表示装置は、画像信号出力部としての駆動回路９０（信号線駆動回路）と、制御部１００と、接続部１１０とを備えている。駆動回路９０は、静止画を表示するための画像信号や、動画を表示するための画像信号（映像信号）を出力する。接続部１１０としては、ＦＰＣ（flexible printed circuit）又はＴＣＰ（tape carrier package）を利用することができる。液晶表示パネル１０は、表示領域ＡＡを有している。表示領域ＡＡは非表示領域で囲まれている。
【００１１】
図１乃至図５に示すように、アレイ基板１は、透明な絶縁性の基板として、例えばガラス基板４ａを備えている。表示領域ＡＡにおいて、ガラス基板４ａ上にはマトリクス状に配置された複数の単位画素ＵＰＸが形成されている。単位画素ＵＰＸは、第１方向ｄ１にｍ個並べられ、第１方向ｄ１に直交した第２方向ｄ２にｎ個並べられている。
【００１２】
各単位画素ＵＰＸは、複数の画素ＰＸを備えている。ここでは、各単位画素ＵＰＸは、第１乃至第４画素ＰＸａ乃至ＰＸｄを備えている。第２画素ＰＸｂは、第１画素ＰＸａに第２方向ｄ２に隣合って位置している。第３画素ＰＸｃは、第１画素ＰＸａに第１方向ｄ１に隣合って位置している。第４画素ＰＸｄは、第２画素ＰＸｂに第１方向ｄ１に隣合い第３画素ＰＸｃに第２方向ｄ２に隣合って位置している。
【００１３】
ここで、単位画素ＵＰＸの単位ではなく画素ＰＸの単位に着目すると、複数の画素ＰＸは、第１方向ｄ１に２×ｍ個並べられ、第２方向ｄ２に２×ｎ個並べられている。奇数行において、第１画素ＰＸａ及び第３画素ＰＸｃが第１方向ｄ１に交互に並べられている。偶数行において、第２画素ＰＸｂ及び第４画素ＰＸｄが第１方向ｄ１に交互に並べられている。奇数列において、第１画素ＰＸａ及び第２画素ＰＸｂが第２方向ｄ２に交互に並べられている。偶数列において、第３画素ＰＸｃ及び第４画素ＰＸｄが第２方向ｄ２に交互に並べられている。
【００１４】
なお、上記単位画素ＵＰＸを絵素と言い換えることができる。又は、単位画素ＵＰＸを画素と言い換えることができ、この場合、上記画素ＰＸを副画素と言い換えることができる。
【００１５】
表示領域ＡＡの外側において、ガラス基板４ａの上方に、駆動回路９及びアウタリードボンディング（outer lead bonding）のパッド群（以下、ＯＬＢパッド群と称する）ＰＧが形成されている。本実施形態において、駆動回路９は、走査線駆動回路及び補助容量線駆動回路として利用される。なお、上記走査線駆動回路及び補助容量線駆動回路は、互いに分離して設けられていてもよい。例えば図３を参照すると、非表示領域のうち、左側領域に走査線駆動回路が設けられ、右側領域に補助容量線駆動回路が設けられてもよい。
【００１６】
表示領域ＡＡにおいて、ガラス基板４ａの上方には、複数本（２×ｍ本）の信号線１７、複数本（２×ｎ本）の走査線１５及び複数本（２×ｎ本）の補助容量線２０が配置されている。  
信号線１７は、駆動回路９０（信号線駆動回路）に接続されている。信号線１７は、第２方向ｄ２に延在し第１方向ｄ１に互いに間隔を置いて設けられている。信号線１７は、それぞれ一列の複数の画素ＰＸに電気的に接続されている。
【００１７】
走査線１５は、駆動回路９（走査線駆動回路）に接続されている。走査線１５は、第１方向ｄ１に延出し、第２方向ｄ２に互いに間隔を置いて設けられている。走査線１５は、それぞれ一行の複数の画素ＰＸに電気的に接続されている。  
補助容量線２０は、駆動回路９（補助容量線駆動回路）に接続されている。補助容量線２０は、第１方向ｄ１に延在し第２方向ｄ２に互いに間隔を置いて設けられている。補助容量線２０は、それぞれ一行の複数の画素ＰＸに電気的に接続されている。
【００１８】
次に、単位画素ＵＰＸを１つ取り出して説明する。  
図３乃至図５に示すように、第１乃至第４画素ＰＸａ乃至ＰＸｄは、互いに異なる色の画像を表示するように構成された画素である。この実施形態において、第１乃至第４画素ＰＸａ乃至ＰＸｄは、赤色（Ｒ）、緑色（Ｇ）、青色（Ｂ）及び白色（Ｗ）の画像を表示するように構成された画素である。単位画素ＵＰＸは、いわゆるＲＧＢＷ正方画素（ＲＧＢＷの４個の正方形の画素が正方配列化された画素）で構成されている。
【００１９】
第１画素ＰＸａは、第１画素電極２２ａと、第１スイッチング素子１２ａと、補助容量素子２５と、を有し、赤色（Ｒ）の画像を表示するように構成されている。この実施形態において、第１スイッチング素子１２ａは、薄膜トランジスタ（thin film transistor：ＴＦＴ）で形成されている。第１スイッチング素子１２ａは、走査線１５に電気的に接続された第１電極と、信号線１７（１７ａ）に電気的に接続された第２電極と、第１画素電極２２ａに電気的に接続された第３電極と、を有している。第１画素電極２２ａは、第１対向電極４２ａとの間に液晶容量を形成している。なお、各第１対向電極４２ａは、第１リード線Ｌ１に接続され、第１リード線Ｌ１等を介して駆動回路９０（リード線駆動回路）に接続されている。
【００２０】
ここで、第１スイッチング素子１２ａにおいて、上記第１電極がゲート電極として機能し、第２及び第３電極の一方がソース電極として機能し、第２及び第３電極の他方がドレイン電極として機能する。なお、これら第１乃至第３電極の機能に関しては、後述する第２乃至第４スイッチング素子１２ｂ乃至１２ｄにおいても同様である。
【００２１】
補助容量素子２５は、第１画素電極２２ａに電気的に接続されている。この実施形態において、補助容量素子２５は、第１画素電極２２ａと補助容量線２０との間に形成されている。補助容量素子２５の一方の電極は、第１画素電極２２ａ又は第１画素電極２２ａに接続された電極で形成されている。補助容量素子２５の他方の電極は、対応する補助容量線２０の一部又は上記補助容量線２０に接続された電極で形成されている。補助容量線２０は、駆動回路９（補助容量線駆動回路）により駆動されている。なお、補助容量線２０を駆動する必要が無い場合は、補助容量線駆動回路は特に必要でなく、各補助容量線２０は何らかの定電位電源に接続されていてもよい。
【００２２】
第２画素ＰＸｂは、第２画素電極２２ｂと、第２スイッチング素子１２ｂと、補助容量素子２５と、を有し、青色（Ｂ）の画像を表示するように構成されている。この実施形態において、第２スイッチング素子１２ｂは、ＴＦＴで形成されている。第２スイッチング素子１２ｂは、走査線１５に電気的に接続された第１電極と、信号線１７（１７ａ）に電気的に接続された第２電極と、第２画素電極２２ｂに電気的に接続された第３電極と、を有している。第２画素ＰＸｂは、第１画素ＰＸａとともに同一の第１信号線１７ａに接続されている。第２画素電極２２ｂは、第１対向電極４２ａとの間に液晶容量を形成している。
【００２３】
第３画素ＰＸｃは、第３画素電極２２ｃと、第３スイッチング素子１２ｃと、補助容量素子２５と、を有し、緑色（Ｇ）の画像を表示するように構成されている。この実施形態において、第３スイッチング素子１２ｃは、ＴＦＴで形成されている。第３スイッチング素子１２ｃは、走査線１５に電気的に接続された第１電極と、信号線１７（１７ｂ）に電気的に接続された第２電極と、第３画素電極２２ｃに電気的に接続された第３電極と、を有している。第３画素ＰＸｃは、第１画素ＰＸａとともに同一の走査線１５に接続されている。第３画素電極２２ｃは、第２対向電極４２ｂとの間に液晶容量を形成している。なお、各第２対向電極４２ｂは、第２リード線Ｌ２に接続され、第２リード線Ｌ２等を介して駆動回路９０（リード線駆動回路）に接続されている。
【００２４】
第４画素ＰＸｄは、第４画素電極２２ｄと、第４スイッチング素子１２ｄと、補助容量素子２５と、を有し、白色（Ｗ）の画像を表示するように構成されている。この実施形態において、第４スイッチング素子１２ｄは、ＴＦＴで形成されている。第４スイッチング素子１２ｄは、走査線１５に電気的に接続された第１電極と、信号線１７（１７ｂ）に電気的に接続された第２電極と、第４画素電極２２ｄに電気的に接続された第３電極と、を有している。第４画素ＰＸｄは、第２画素ＰＸｂとともに同一の走査線１５に接続され、第３画素ＰＸｃとともに同一の第２信号線１７ｂに接続されている。第４画素電極２２ｄは、第２対向電極４２ｂとの間に液晶容量を形成している。
【００２５】
上記のように、本実施形態において、各単位画素ＵＰＸには、２本の信号線１７と２本の走査線１５と、２本の補助容量線２０と、が接続されている。但し、信号線及び走査線に着目すると、各単位画素ＵＰＸには、４本の信号線１７と１本の走査線１５とが接続されていてもよい。この場合、単位画素ＵＰＸの第１乃至第４画素ＰＸａ乃至ＰＸｄは、同一の走査線１５に電気的に接続されている。そして、単位画素ＵＰＸの第１乃至第４画素ＰＸａ乃至ＰＸｄは、互いに異なる信号線１７に電気的に接続されている。
【００２６】
次に、液晶表示パネル１０の断面構造について説明する。  
図４乃至図６に示すように、ガラス基板４ａ上にはアンダーコート膜（絶縁膜）１１が形成されている。アンダーコート膜１１の上方に、複数のスイッチング素子１２（１２ａ乃至１２ｄ）が形成されている。詳しくは、アンダーコート膜１１上に半導体層１３が形成されている。
【００２７】
半導体層１３は、アモルファスシリコン、ポリシリコン、有機物半導体、酸化物半導体等の半導体で形成されている。本実施形態において、半導体層１３は、酸化物半導体で形成された酸化物半導体層である。このような酸化物半導体としては、インジウム、ガリウム及び亜鉛の少なくとも１つを含む酸化物が好適に用いられる。酸化物半導体の体表的な例としては、例えば、酸化インジウムガリウム亜鉛（ＩＧＺＯ）、酸化インジウムガリウム（ＩＧＯ）、インジウム亜鉛酸化物（ＩＺＯ）、亜鉛スズ酸化物（ＺｎＳｎＯ）、亜鉛酸化物（ＺｎＯ）、及び透明アモルファス酸化物半導体（ＴＡＯＳ）などが挙げられる。  
このような酸化物半導体から成る半導体層１３は、アモルファスシリコンからなる半導体層と比較して高移動度を実現できる。また、このような酸化物半導体からなる半導体層１３は、ポリシリコンからなる半導体層と比較して、低温で大面積に亘って均一に成膜することができ、製造コストの低減を図ることができる。
【００２８】
アンダーコート膜１１及び半導体層１３上に、ゲート絶縁膜１４が形成されている。ゲート絶縁膜１４上には、複数の走査線１５が形成されている。走査線１５は、半導体層１３の第１領域（チャネル領域）と対向した複数の第１電極（ゲート電極）１５ａを有している。ゲート絶縁膜１４及び走査線１５（第１電極１５ａ）上に、第１層間絶縁膜１６が形成されている。
【００２９】
第１層間絶縁膜１６上に、複数の信号線１７、複数の第２電極１８ａ及び複数の第３電極１８ｂが形成されている。信号線１７、第２電極１８ａ及び第３電極１８ｂは、同一材料を利用し、同時に形成されている。信号線１７は、第２電極１８ａと一体に形成されている。第２電極１８ａは、ゲート絶縁膜１４及び第１層間絶縁膜１６に形成されたコンタクトホールを通り半導体層１３の第２領域にコンタクトしている。第３電極１８ｂは、ゲート絶縁膜１４及び第１層間絶縁膜１６に形成された他のコンタクトホールを通り半導体層１３の第３領域にコンタクトしている。なお、第２及び第３領域の一方がソース領域として機能し、第２及び第３領域の他方がドレイン領域として機能する。上記のように、スイッチング素子１２が形成されている。
【００３０】
第１層間絶縁膜１６、信号線１７、第２電極１８ａ及び第３電極１８ｂ上に、第２層間絶縁膜１９が形成されている。第２層間絶縁膜１９上に、絶縁膜２１が形成されている。絶縁膜２１は、平坦化膜としても機能し得る。絶縁膜２１が平坦化膜として機能することにより、アレイ基板１の表面の凹凸を低減することができる。
【００３１】
絶縁膜２１上に、複数の画素電極２２（２２ａ乃至２２ｄ）が形成されている。本実施形態において、画素電極２２は、光反射導電層、透明導電層、又はこれらの積層体で形成されている。光反射導電層は、アルミニウム（aluminum：Ａｌ）等の金属材料を利用して形成することができる。透明導電層は、インジウム錫酸化物（indium tin oxide：ＩＴＯ）、インジウム亜鉛酸化物、（indium zinc oxide：ＩＺＯ）等の透明な導電材料を利用して形成することができる。
【００３２】
この実施形態において、画素電極２２は、光反射導電層と透明導電層との積層体で形成された光反射型の画素電極である。液晶表示パネル１０は光反射型の液晶表示パネルである。画素電極２２は、光反射性を有し、表示面（対向基板２の外面）側から入射された光を上記表示面側に反射することができる。
【００３３】
例えば、透明導電層は画素電極２２の最上層に位置している。透明導電層のサイズは光反射導電層のサイズと同一であり、透明導電層は光反射導電層に完全に重なって形成されていてもよい。この場合、１回のフォトリソグラフィ工程で、積層された光反射導電膜及び透明導電膜にパターニングを施すことにより、光反射導電層及び透明導電層を同時に形成することができる。
【００３４】
なお、液晶表示パネル１０は光透過型の液晶表示パネルであってもよい。この場合、画素電極２２は、透明導電層のみで形成された光透過型の画素電極である。画素電極２２は、光透過性を有し、アレイ基板１側から入射された光を対向基板２側に透過させることができる。
【００３５】
絶縁膜２１及び画素電極２２上には、柱状スペーサ５（図２）が形成されている。絶縁膜２１、画素電極２２及び柱状スペーサ５上には配向膜２３が設けられている。配向膜２３は液晶層３に接している。この実施形態において、配向膜２３は水平配向膜であり、ラビング等の配向処理が施されている。これにより、配向膜２３は、液晶層３の液晶分子を初期配向させることができる。  
上記のように、アレイ基板１が形成されている。
【００３６】
図６に示すように、一方、対向基板２は、透明な絶縁基板として、例えばガラス基板４ｂを備えている。ガラス基板４ｂ上には、カラーフィルタ３０が設けられている。カラーフィルタ３０は、ブラックマトリクス３１と、複数色の着色層（又は無着色層）３２とを有している。ブラックマトリクス３１は、複数の画素ＰＸを区画するように格子状に形成されている。
【００３７】
この実施形態において、カラーフィルタ３０は、第１画素ＰＸａを形成する赤色の着色層３２（３２Ｒ）、第２画素ＰＸｂを形成する青色の着色層３２、第３画素ＰＸｃを形成する緑色の着色層３２（３２Ｇ）、及び第４画素ＰＸｄを形成する透明な無着色層３２を有している。なお、上記カラーフィルタ３０は、無着色層３２無しに形成することができ得る。
【００３８】
また、この実施形態において、カラーフィルタ３０上にオーバーコート膜４１が設けられている。オーバーコート膜４１は、対向基板２の表面の凹凸を低減する機能を有している。なお、オーバーコート膜４１は必要に応じて設けられていればよい。オーバーコート膜４１上には、対向電極（共通電極）４２及び配向膜４３が順に設けられている。
【００３９】
この実施形態において、対向電極４２は、ＩＴＯ、ＩＺＯ等の透明な導電材料を利用して形成されている。また、対向電極４２は、複数の第１対向電極４２ａと、複数の第２対向電極４２ｂと、を有している。第１対向電極４２ａ及び第２対向電極４２ｂは、それぞれ帯状に形成され、第２方向ｄ２に延在し、第１方向ｄ１に間隔を置いて交互に並べられている。各第１対向電極４２ａは、奇数列のうちの任意の一列の全ての画素ＰＸの画素電極２２と対向している。各第２対向電極４２ｂは、偶数列のうちの任意の一列の全ての画素ＰＸの画素電極２２と対向している。  
このため、第１対向電極４２ａ及び第２対向電極４２ｂは、それぞれ複数の画素ＰＸの形成に寄与している。また、第１対向電極４２ａ及び第２対向電極４２ｂは、それぞれ複数の画素ＰＸで共用される共通電極である。
【００４０】
本実施形態において、液晶表示装置はカラム反転駆動法を利用し、かつ、信号線１７を駆動する電圧を半減するため、対向電極４２は、帯状の第１対向電極４２ａ及び第２対向電極４２ｂを有している。列単位及びフレーム単位で、第１対向電極４２ａ及び第２対向電極４２ｂの電位も変動させることにより、液晶層３を交流駆動することができる。  
このため、動画を表示す際の任意のＮ番目の１フレーム期間内に、画素電極２２に画像信号が与えられると、奇数列の画素ＰＸの画素電極２２の電位は第１対向電極４２ａの電位と同一かそれより高くなり、偶数列の画素ＰＸの画素電極２２の電位は第２対向電極４２ｂの電位と同一かそれより低くなる。そして、Ｎ＋１番目の１フレーム期間内に、画素電極２２に画像信号が与えられると、奇数列の画素ＰＸの画素電極２２の電位は第１対向電極４２ａの電位と同一かそれより低くなり、偶数列の画素ＰＸの画素電極２２の電位は第２対向電極４２ｂの電位と同一かそれより高くなる。  
すなわち、Ｎ番目の１フレーム期間内に、奇数列では、画素電極２２が正極性の電極、第１対向電極４２ａが負極性の電極となり、偶数列では、画素電極２２が負極性の電極、第２対向電極４２ｂが正極性の電極となる。Ｎ＋１番目の１フレーム期間内に、奇数列では、画素電極２２が負極性の電極、第１対向電極４２ａが正極性の電極となり、偶数列では、画素電極２２が正極性の電極、第２対向電極４２ｂが負極性の電極となる。
【００４１】
なお、対向電極４２は、全ての画素電極２２と対向した単一の電極であってもよい。この場合、対向電極４２の電位を固定し、信号線１７を駆動する電圧を調整することにより、カラム反転駆動を行うことができる。また、液晶表示装置は、カラム反転駆動法に限らず、フレーム反転駆動法等の他の駆動法を利用するものであってもよい。
【００４２】
配向膜４３は液晶層３に接している。配向膜４３は、水平配向膜であり、ラビング等の配向処理が施されている。これにより、配向膜４３は、液晶層３の液晶分子を初期配向させることができる。  
上記のように、対向基板２が形成されている。
【００４３】
図２に示すように、アレイ基板１及び対向基板２間の所定の隙間は柱状スペーサ５により保持されている。アレイ基板１及び対向基板２は、これら両基板の周縁部に配置されたシール材６により接合されている。液晶層３は、アレイ基板１、対向基板２及びシール材６で囲まれた空間に形成されている。本実施形態において、液晶層３は、ポジ型の液晶材料で形成されている。  
上記のように液晶表示装置が形成されている。
【００４４】
次に、上記のように構成された液晶表示装置の駆動方法について説明する。  
駆動部（駆動回路９及び駆動回路９０等）は、走査線１５、補助容量線２０及び信号線１７を駆動し、画素電極２２に画像信号を書込んでいる。液晶表示装置が動画や静止画を表示する場合、駆動部は走査線１５及び信号線１７を毎フレーム駆動する。但し、液晶表示装置が静止画を表示する場合、駆動部は走査線１５及び信号線１７を数フレーム置きに駆動（間欠駆動）することもできる。
【００４５】
本実施形態において、第１画像の表示から第２画像の表示に切り替え、第２画像の表示を維持し、第２画像を静止画として表示する場合、駆動部は次のように走査線１５及び信号線１７等を駆動する。ここでは、特定の１画素ＰＸに着目する。駆動部は、画素ＰＸの画素電極２２に第１画像信号を書込んだ後、画素電極２２に第１画像信号とは異なる第２画像信号を書込んだ状態を保持する際、次のように走査線１５及び信号線１７等を駆動する。
【００４６】
まず、駆動部は、走査線１５、信号線１７及びリード線（Ｌ１，Ｌ２）を駆動し、画素電極２２に第２画像信号を３フレーム分以上連続して書込む第１書込みを行う。第１書込みの後、駆動部は、第１書込みの期間より長い期間に走査線１５及び信号線１７の駆動を休止する第１休止を行う。なお、第１休止の間、駆動部は、リード線（Ｌ１，Ｌ２）の駆動状態を維持している。第１休止の後、駆動部は、走査線１５、信号線１７及びリード線（Ｌ１，Ｌ２）を駆動し、画素電極２２に第２画像信号を１フレーム分書込む第２書込みを行う。第２書込みの後、駆動部は、第２書込みの期間より長い期間に走査線１５及び信号線１７の駆動を休止する第２休止を行う。
【００４７】
次に、液晶表示装置の駆動方法の実施例について説明する。ここでは、第１画像の表示から第２画像の表示に切り替え、第２画像の表示を維持し、第２画像を静止画として表示する場合について説明する。また、図４及び図５に示した第１画素ＰＸａ及び第３画素ＰＸｃに着目して説明する。
【００４８】
図７、及び図３乃至図５に示すように、まず、第１画像表示期間Ｐｄ１に、液晶表示装置は第１画像を表示する。この実施例では、第１画像表示期間Ｐｄ１は静止画の表示期間であるが、これに限らず、第１画像表示期間Ｐｄ１は動画の表示期間であってもよい。なお、第１画像表示期間Ｐｄ１も第２画像表示期間Ｐｄ２も補助容量線２０は定電位に固定されている。
【００４９】
第１画像表示期間Ｐｄ１の最後の１秒間は、書込み期間Ｐｗ１と、休止期間Ｐｂ１と、に分けられる。  
書込み期間Ｐｗ１は１フレーム期間（１／６０秒）である。書込み期間Ｐｗ１に、駆動部は６０Ｈｚのフレームレートで書込み動作を行う。書込み動作では、駆動回路９は、走査線１５に制御信号ＳＧを与え、駆動回路９０は、第１信号線１７ａに第１画像信号Ｖｓｉｇ１を与え、第２信号線１７ｂに第３画像信号Ｖｓｉｇ３を与え、第１リード線Ｌ１に第１対向電圧ＶｃｏｍＬを与え、第２リード線Ｌ２に第２対向電圧ＶｃｏｍＨを与える。
【００５０】
ここで、第１対向電圧ＶｃｏｍＬはロウレベルの電圧であり、第２対向電圧ＶｃｏｍＨは、第１対向電圧ＶｃｏｍＬよりハイレベルの電圧である。第１画像信号Ｖｓｉｇ１は、ハイレベルの第１画像信号Ｖｓｉｇ１Ｈであり、第１画像信号Ｖｓｉｇ１Ｈの電位は第１対向電圧ＶｃｏｍＬの電位と同一又はそれより高く設定されている。第３画像信号Ｖｓｉｇ３は、ロウレベルの第３画像信号Ｖｓｉｇ３Ｌであり、第３画像信号Ｖｓｉｇ３Ｌの電位は第２対向電圧ＶｃｏｍＨの電位と同一又はそれより低く設定されている。
【００５１】
これにより、第１対向電極４２ａに第１リード線Ｌ１を介して第１対向電圧ＶｃｏｍＬが与えられ、第２対向電極４２ｂに第２リード線Ｌ２を介して第２対向電圧ＶｃｏｍＨが与えられる。また、制御信号ＳＧにより第１スイッチング素子１２ａ及び第３スイッチング素子１２ｃがオン状態に設定されることにより、第１画素電極２２ａに第１信号線１７ａ及び第１スイッチング素子１２ａを介して第１画像信号Ｖｓｉｇ１Ｈが書込まれ、第３画素電極２２ｃに第２信号線１７ｂ及び第３スイッチング素子１２ｃを介して第３画像信号Ｖｓｉｇ３Ｌが書込まれる。
【００５２】
書込み期間Ｐｗ１に続く休止期間Ｐｂ１は５９フレーム期間（５９／６０秒）である。休止期間Ｐｂ１の間、駆動回路９０は第１信号線１７ａ及び第２信号線１７ｂの駆動を休止し、駆動回路９は走査線１５の駆動を休止する。なお、休止期間Ｐｂ１においても、第１対向電極４２ａに第１対向電圧ＶｃｏｍＬが与えられた状態に維持され、第２対向電極４２ｂに第２対向電圧ＶｃｏｍＨが与えられた状態に維持される。上記のように休止期間Ｐｂ１を設けることにより、液晶表示装置の低消費電力化に寄与することができる。
【００５３】
続いて、第２画像表示期間Ｐｄ２に移行し、液晶表示装置は第１画像とは異なる第２画像を表示する。この実施例では、第２画像表示期間Ｐｄ２は静止画の表示期間である。
【００５４】
第２画像表示期間Ｐｄ２は、第１書込み期間Ｐｗ２ａと、第１休止期間Ｐｂ２ａと、第２書込み期間Ｐｗ２ｂと、第２休止期間Ｐｂ２ｂと、に分けられる。第１書込み期間Ｐｗ２ａと第１休止期間Ｐｂ２ａとの合計が１秒間であり、第２書込み期間Ｐｗ２ｂと第２休止期間Ｐｂ２ｂとの合計が１秒間である。
【００５５】
第１書込み期間Ｐｗ２ａは３フレーム期間（３／６０秒）である。第１書込み期間Ｐｗ２ａに、駆動部は６０Ｈｚのフレームレートで第１書込み動作を行う。第１書込み動作では、第１書込み期間Ｐｗ２ａの最初の１フレーム期間に、駆動回路９は、走査線１５に制御信号ＳＧを与え、駆動回路９０は、第１信号線１７ａにロウレベルの第２画像信号Ｖｓｉｇ２Ｌを与え、第２信号線１７ｂにハイレベルの第４画像信号Ｖｓｉｇ４Ｈを与え、第１リード線Ｌ１に第２対向電圧ＶｃｏｍＨを与え、第２リード線Ｌ２に第１対向電圧ＶｃｏｍＬを与える。
【００５６】
第１書込み期間Ｐｗ２ａの２番目の１フレーム期間に、駆動回路９は、走査線１５に制御信号ＳＧを与え、駆動回路９０は、第１信号線１７ａにハイレベルの第２画像信号Ｖｓｉｇ２Ｈを与え、第２信号線１７ｂにロウレベルの第４画像信号Ｖｓｉｇ４Ｌを与え、第１リード線Ｌ１に第１対向電圧ＶｃｏｍＬを与え、第２リード線Ｌ２に第２対向電圧ＶｃｏｍＨを与える。
【００５７】
第１書込み期間Ｐｗ２ａの３番目（最後）の１フレーム期間に、駆動回路９は、走査線１５に制御信号ＳＧを与え、駆動回路９０は、第１信号線１７ａにロウレベルの第２画像信号Ｖｓｉｇ２Ｌを与え、第２信号線１７ｂにハイレベルの第４画像信号Ｖｓｉｇ４Ｈを与え、第１リード線Ｌ１に第２対向電圧ＶｃｏｍＨを与え、第２リード線Ｌ２に第１対向電圧ＶｃｏｍＬを与える。
【００５８】
ここで、ハイレベルの第２画像信号Ｖｓｉｇ２Ｈ及び第４画像信号Ｖｓｉｇ４Ｈの電位は第１対向電圧ＶｃｏｍＬの電位と同一又はそれより高く設定され、ロウレベルの第２画像信号Ｖｓｉｇ２Ｌ及び第４画像信号Ｖｓｉｇ４Ｌの電位は第２対向電圧ＶｃｏｍＨの電位と同一又はそれより低く設定されている。
【００５９】
これにより、第１書込み期間Ｐｗ２ａ、フレーム毎に、第１画素電極２２ａの電位と第１対向電極４２ａの電位との関係が反転し、同様に、第３画素電極２２ｃの電位と第２対向電極４２ｂの電位との関係が反転する。液晶層３に交流電圧を印加することができるため、液晶材料の劣化を抑制することができる。
【００６０】
駆動回路９０は、第１書込みの際、第１画素電極２２ａに第２画像信号Ｖｓｉｇ２を３フレーム分連続して書込み、第３画素電極２２ｃに第４画像信号Ｖｓｉｇ４を３フレーム分連続して書込んでいる。第２画像信号Ｖｓｉｇ２及び第４画像信号Ｖｓｉｇ４は３フレーム分以上連続して書込まれるため、液晶分子の配向状態の変化を安定させることができ、液晶分子が不完全に配向した状態のままとなる事態を回避することができる。
【００６１】
第１書込み期間Ｐｗ２ａに続く第１休止期間Ｐｂ２ａは５７フレーム期間（５７／６０秒）である。第１休止期間Ｐｂ２ａの間、駆動回路９０は第１信号線１７ａ及び第２信号線１７ｂの駆動を休止し、駆動回路９は走査線１５の駆動を休止する。なお、第１休止期間Ｐｂ２ａにおいても、第１対向電極４２ａに第２対向電圧ＶｃｏｍＨが与えられた状態に維持され、第２対向電極４２ｂに第１対向電圧ＶｃｏｍＬが与えられた状態に維持される。上記のように第１休止期間Ｐｂ２ａを設けることにより、液晶表示装置の低消費電力化に寄与することができる。
【００６２】
また、上述したように、第２画像信号Ｖｓｉｇ２及び第４画像信号Ｖｓｉｇ４は奇数フレーム（３フレーム）分連続して書込まれるため、休止期間Ｐｂ１（第１画像表示期間Ｐｄ１）に液晶層３に印加される電圧の極性と、第１休止期間Ｐｂ２ａ（第２画像表示期間Ｐｄ２）に液晶層３に印加される電圧の極性と、を反転することができる。これにより、液晶材料の劣化の抑制に寄与することができる。
【００６３】
第２書込み期間Ｐｗ２ｂは１フレーム期間（１／６０秒）である。第２書込み期間Ｐｗ２ｂに、駆動部は６０Ｈｚのフレームレートで第２書込み動作を行う。第２書込み動作では、第２書込み期間Ｐｗ２ｂに、駆動回路９は、走査線１５に制御信号ＳＧを与え、駆動回路９０は、第１信号線１７ａにロウレベルの第２画像信号Ｖｓｉｇ２Ｌを与え、第２信号線１７ｂにハイレベルの第４画像信号Ｖｓｉｇ４Ｈを与える。なお、第２書込み期間Ｐｗ２ｂにおいても、第１対向電極４２ａに第２対向電圧ＶｃｏｍＨが与えられた状態に維持され、第２対向電極４２ｂに第１対向電圧ＶｃｏｍＬが与えられた状態に維持される。
【００６４】
ここで、第１書込み期間Ｐｗ２ａの最終フレーム目に第１画素電極２２ａに書込まれる第２画像信号Ｖｓｉｇ２Ｌの電位と、第２書込み期間Ｐｗ２ｂに第１画素電極２２ａに書込まれる第２画像信号Ｖｓｉｇ２Ｌの電位とは、同一である。同様に、第１書込み期間Ｐｗ２ａの最終フレーム目に第３画素電極２２ｃに書込まれる第４画像信号Ｖｓｉｇ４Ｈの電位と、第２書込み期間Ｐｗ２ｂに第３画素電極２２ｃに書込まれる第４画像信号Ｖｓｉｇ４Ｈの電位とは、同一である。
【００６５】
また、第１画素電極２２ａの電位と第１対向電極４２ａの電位との差の絶対値は、第１書込み期間Ｐｗ２ａ及び第２書込み期間Ｐｗ２ｂにおいて同一である。同様に、第３画素電極２２ｃの電位と第２対向電極４２ｂの電位との差の絶対値は、第１書込み期間Ｐｗ２ａ及び第２書込み期間Ｐｗ２ｂにおいて同一である。
【００６６】
第２書込み期間Ｐｗ２ｂに続く第２休止期間Ｐｂ２ｂは５９フレーム期間（５９／６０秒）である。第２休止期間Ｐｂ２ｂの間、駆動回路９０は第１信号線１７ａ及び第２信号線１７ｂの駆動を休止し、駆動回路９は走査線１５の駆動を休止する。なお、第２休止期間Ｐｂ２ｂにおいても、第１対向電極４２ａに第２対向電圧ＶｃｏｍＨが与えられた状態に維持され、第２対向電極４２ｂに第１対向電圧ＶｃｏｍＬが与えられた状態に維持される。上記のように第２休止期間Ｐｂ２ｂを設けることにより、液晶表示装置の低消費電力化に寄与することができる。
【００６７】
また、上述したように、３フレーム以上（３フレーム）連続して第１書込みを行った上で、間欠１Ｈｚ駆動に移行している。このため、液晶分子の配向状態の変化が安定した状態を保持することができる。
【００６８】
上記第２休止の後（第２休止期間Ｐｂ２ｂが経過した後）、駆動部は、第２書込み期間Ｐｗ２ｂに行う第２書込みと、第２休止期間Ｐｂ２ｂに行う第２休止とを交互に繰り返し、第１画素電極２２ａに第２画像信号Ｖｓｉｇ２Ｌを書込み、第３画素電極２２ｃに第４画像信号Ｖｓｉｇ４Ｈを書込んだ状態を保持してもよい。これにより、第２画像表示期間Ｐｄ２の時間を調整することができ、低消費電力化に寄与することができ、表示品位に優れた第２画像の表示を保持することができる。
【００６９】
上記のように構成された一実施形態に係る液晶表示装置及び液晶表示装置の駆動方法によれば、液晶表示装置は、走査線１５と、信号線１７と、画素電極２２を有した画素Ｐｘと、スイッチング素子１２と、駆動部（駆動回路９，９０）と、を備えている。駆動部は、走査線１５及び信号線１７に電気的に接続され、走査線１５及び信号線１７を駆動し、画素電極２２に画像信号を書込むように構成されている。
【００７０】
駆動部は、任意の画素電極２２に第１画像信号を書込んだ後、上記画素電極２２に第１画像信号とは異なる第２画像信号を書込んだ状態を保持する際、第１書込みと、第１休止と、第２書込みと、第２休止と、を行うように構成されている。第１書込みでは、画素電極２２に第２画像信号を３フレーム分連続して書込む。第１書込みの後の第１休止では、第１書込みの期間より長い期間に走査線１５及び信号線１７の駆動を休止する。第１休止の後の第２書込みでは、画素電極２２に第２画像信号を１フレーム分書込む。第２書込みの後の第２休止では、第２書込みの期間より長い期間に走査線１５及び信号線１７の駆動を休止する。
【００７１】
上記のように、３フレーム分以上（３フレーム分）連続して第１書込みを行った上で、間欠駆動に移行し、第２画像（静止画）の表示を行っている。液晶分子の配向が安定した状態を保持することができるため、表示品位に優れた液晶表示装置を得ることができる。また、走査線１５及び信号線１７の駆動を休止する休止期間を設けることができるため、液晶表示装置の低消費電力化を図ることができる。
【００７２】
上記のことから、低消費電力化を図ることのできる液晶表示装置及び液晶表示装置の駆動方法を得ることができる。又は、表示品位に優れた液晶表示装置及び液晶表示装置の駆動方法を得ることができる。
【００７３】
次に、上記実施形態に係る液晶表示装置の変形例について説明する。  
図８に示すように、液晶表示装置は、切替え回路５０をさらに備えていてもよい。この場合も、上述した実施形態と同様の効果を得ることができる。
【００７４】
切替え回路５０は、複数の切替え素子群５５を有し、切替え素子群５５はそれぞれ複数の切替え素子ＡＳＷを有している。この実施の形態において、切替え素子群５５はそれぞれ２個の切替え素子ＡＳＷを有している。切替え回路５０は、１／２マルチプレクサ回路である。切替え素子ＡＳＷとしては、例えばＴＦＴであり、上記スイッチング素子１２と同様に形成することができ得る。
【００７５】
切替え回路５０は、複数の信号線１７（１７ａ，１７ｂ）に接続されている。また、切替え回路５０は、接続配線５７を介して駆動回路９０に接続されている。ここでは、接続配線５７の本数は、信号線１７の本数の１／２である。
【００７６】
駆動回路９０の出力（接続配線５７）１個当たり２本の信号線１７を時分割駆動するよう、切替え素子（アナログスイッチ）ＡＳＷは、制御信号ＳＷ１及びＳＷ２により、オン／オフが切替えられる。これら制御信号ＳＷ１及びＳＷ２は、制御部１００から、ＯＬＢパッド群ｐＧ（図３）、複数の制御配線５８を介して切替え素子ＡＳＷにそれぞれ与えられる。
【００７７】
上記の変形例によれば、信号線１７は時分割駆動されている。このため、信号線１７を駆動するために駆動回路９０及び制御部１００等によって生成される画像信号の数を半分にすることができる。これにより、上述した実施形態と同様に、外部ソースＩＣ（駆動回路９０及び制御部１００）の消費電力の増大を抑制することができる。
【００７８】
本発明の実施形態を説明したが、上記実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７９】
例えば、上述した実施形態では、第１書込み期間Ｐｗ２ａに、画素電極２２に第２画像信号（第２画像信号Ｖｓｉｇ２又は第４画像信号Ｖｓｉｇ４）を３フレーム分連続して書込んでいる。しかしながら、これに限定されるものではなく、第１書込み期間Ｐｗ２ａに、画素電極２２に第２画像信号を３フレーム分以上連続して書込んでいればよい。これにより、液晶分子の配向が安定した状態を得ることができる。
【００８０】
上述した実施形態では、画素電極２２に第２画像信号（第２画像信号Ｖｓｉｇ２又は第４画像信号Ｖｓｉｇ４）を書込む際、６０Ｈｚのフレームレートで書込んでいる。しかしながら、これに限定されるものではなく、６０Ｈｚより小さい周波数のフレームレートで書込んだり、６０Ｈｚより大きい周波数のフレームレートで書込んだりしてもよい。例えば、半導体層１３を形成する材料等に起因して半導体層１３に生じるリーク電流の量が多くなる場合、３０Ｈｚ等、６０Ｈｚより小さい周波数のフレームレートで第２画像信号を書込んでもよい。但し、６０Ｈｚより小さい周波数になるほど、休止期間が短くなり、低消費電力化に悪影響を及ぼすため留意する必要がある。
【００８１】
駆動部は、第１書込み期間Ｐｗ２ａに行う第１書込みの際、画素電極２２に第２画像信号（第２画像信号Ｖｓｉｇ２又は第４画像信号Ｖｓｉｇ４）を３以上の奇数フレーム分連続して書込んでもよい。この場合も、液晶層３に印加される電圧の極性を反転することができるため、液晶材料の劣化の抑制に寄与することができる。但し、書込むフレーム数が大きくなるほど、休止期間が短くなり、低消費電力化に悪影響を及ぼすため留意する必要がある。
【００８２】
上述した実施形態では、第１書込み期間Ｐｗ２ａの最終フレーム目に画素電極２２に書込まれる第２画像信号（第２画像信号Ｖｓｉｇ２又は第４画像信号Ｖｓｉｇ４）の電位と、第２書込み期間Ｐｗ２ｂに画素電極２２に書込まれる第２画像信号の電位とは、同一であった。しかしながら、これに限定されるものではなく、第１書込み期間Ｐｗ２ａの最終フレーム目に画素電極２２に書込まれる第２画像信号の電位と、第２書込み期間Ｐｗ２ｂに画素電極２２に書込まれる第２画像信号の電位とは、異なっていてもよい。例えば、一方がハイレベルの第２画像信号で、他方がロウレベルの第２画像信号であってもよい。この場合、対向電極４２（４２ａ，４２ｂ）は第２画像信号に対応付けて反転駆動される。  
また、第２書込みを繰り返し行う場合においても、第２書込みを行う度に、画素電極２２に書込まれる第２画像信号の電位は異なっていてもよい。例えば、ハイレベルの第２画像信号の書き込みと、ロウレベルの第２画像信号の書き込みと、を交互に行ってもよい。この場合も、対向電極４２（４２ａ，４２ｂ）は第２画像信号に対応付けて反転駆動される。  
上記のことから、例えば、図９に示すように、液晶表示装置によって第２画像表示を行ってもよい。
【００８３】
上述した実施形態では、第１書込み期間Ｐｗ２ａの１つ目のフレームと３つ目のフレームとでは同じ電圧を信号線に書き込む例を示したが、１つ目のフレームの階調数を減らしてもよい。１つ目のフレームはいずれにしても不完全な表示状態にしかならず、３つ目のフレームで正確な電圧が書き込めればよいためである。  
例えば、２５６階調の表示装置であったとしても、１フレーム目は８階調程度の書き込みをするようにして、３フレーム目で２５６階調の書き込みをする。このようにすると、１フレーム目の書き込みのための消費電力が多少なりとも低減できる。具体的には、ホスト側から液晶モジュールにデジタル信号を送る際の通信バス配線を駆動する消費電力は階調数が少ない方が、有利である。
【００８４】
画素電極２２（２２ａ，２２ｂ，２２ｃ，２２ｄ）の形状は、正方形に限定されるものではなく、種々変形可能であり、長方形であってもよい。画素電極２２の形状は、矩形状以外の形状であってもよい。これらの場合であっても、上述した実施形態の効果と同様の効果を得ることができる。  
単位画素ＵＰＸは、ＲＧＢＷ正方画素に限らず、種々変形可能であり、例えば、いわゆるＲＧＢＷ縦ストライプ画素（ＲＧＢＷの４個の長方形の画素（画素電極）がストライプ状に配列された画素）で構成されていてもよい。  
また、単位画素ＵＰＸは、いわゆるＲＧＢ縦ストライプ画素（一般的な３原色であるＲＧＢの３個の長方形の画素（画素電極）がストライプ状に配列された画素）で構成されていてもよい。単位画素ＵＰＸは、さらに、Ｙ（黄色）画素や、Ｗ画素及びＹ画素の両方を備えた４色以上の画素で構成されていてもよい。
【００８５】
上述した実施形態では、液晶表示パネル１０は、ＴＮ（Twisted Nematic）方式を採用している。しかしながら、これに限定されるものではなく、液晶表示パネルは、ＴＮ方式以外の表示方式を採用してもよい。例えば、液晶表示パネルは、ＦＦＳ（Fringe Field Switching）方式等の主として基板主面に略平行な横電界を利用するＩＰＳ（In-Plane Switching）方式を採用していてもよい。そして、液晶表示パネルは、補助容量素子２５無しに形成されていてもよい。  
また、液晶表示装置は、光反射型の液晶表示装置に限定されるものではなく、種々変形可能であり、光透過型の液晶表示装置であってもよい。  
上述した実施形態は、上述した液晶表示装置及びその駆動方法に限定されるものではなく、各種の液晶表示装置及びその駆動方法に適用可能である。
【符号の説明】
【００８６】
１…アレイ基板、２…対向基板、３…液晶層、９，９０…駆動回路、１０…液晶表示パネル、１２，１２ａ，１２ｂ，１２ｃ，１２ｄ…スイッチング素子、１３…半導体層、１５…走査線、１７，１７ａ，１７ｂ…信号線、２２，２２ａ，２２ｂ，２２ｃ，２２ｄ…画素電極、２５…補助容量素子、４２，４２ａ，４２ｂ…対向電極、ＰＸ，ＰＸａ，ＰＸｂ，ＰＸｃ，ＰＸｄ…画素、Ｌ１，Ｌ２…リード線、Ｐｄ１…第１画像表示期間、Ｐｄ２…第２画像表示期間、Ｐｗ２ａ…第１書込み期間、Ｐｂ２ａ…第１休止期間、Ｐｗ２ｂ…第２書込み期間、Ｐｂ２ｂ…第２休止期間、Ｖｓｉｇ１，Ｖｓｉｇ１Ｈ…第１画像信号、Ｖｓｉｇ２，Ｖｓｉｇ２Ｈ，Ｖｓｉｇ２Ｌ…第２画像信号、Ｖｓｉｇ３，Ｖｓｉｇ３Ｌ…第３画像信号、Ｖｓｉｇ４，Ｖｓｉｇ４Ｈ，Ｖｓｉｇ４Ｌ…第４画像信号、ＶｃｏｍＬ…第１対向電圧、ＶｃｏｍＨ…第２対向電圧。
【図１】
2016066028.tif 000003
【図２】
2016066028.tif 000004
【図３】
2016066028.tif 000005
【図４】
2016066028.tif 000006
【図５】
2016066028.tif 000007
【図６】
2016066028.tif 000008
【図７】
2016066028.tif 000009
【図８】
2016066028.tif 000010
【図９】
2016066028.tif 000011